(57)【要約】【課題】インターネットを利用して、ホームページ上に公開された特定の情報発信者が、ホームページ上に公開された特定の情報受信者対しに専門的な情報を発信した場合、情報受信者は選択的に情報を受信するサービスを提供する。【解決手段】インターネット上にホームページを開設し、サーバーに登録した学校郡がホームページ上に公開され情報受信者に対し情報発信者であることを開示する、サーバーに登録した学校群及び学習塾、予備校がホームページ上に公開され情報受信者であることを開示する。情報発信者は情報が発生した時点でメール機能を用い情報をサーバーに送信することにより、迅速に情報を発信できる、情報受信者は予め、サーバー内に自身が必要とする小学校、中学校、高等学校、専門学校、大学の種別の設定と、地域の設定を複数又は１箇所行うことにより選択的に情報を取得することを可能とする、情報発信及び選択的受信装置である。【選択図】図４
2009258932.tif 000002
【特許請求の範囲】
【請求項１】
インターネット上にサーバーを設置し小学校、中学校、高等学校、専門学校、大学、学習塾、予備校のカテゴリー毎のテーブルを作成する、各テーブルに小学校、中学校、高等学校、専門学校、大学、学習塾、予備校を登録しホームページ上に公開する。
それらのなかで学校を情報発信校とすると共に登録した小学校、中学校、高等学校、学習塾、予備校を情報受信者とし、専門的な情報の提供及び受信を可能とするシステムである。
【請求項２】
前記情報発信校は、情報発信手段として、メール機能を有するインターネット接続装置により、サーバーを介し情報を一括して提供する。
【請求項３】
前記情報受信者はインターネットを介しサーバーに情報を必要とする対象の学校のカテゴリー、小学校、中学校、高等学校、専門学校、大学のいずれか又は複数の選択肢より設定をおこなうことにより、必要とする情報発信校の発信した情報を選択的に迅速にメールにて取得することを可能とする、情報送受信システムである。
【請求項４】
前記情報受信者はインターネットを介しサーバー内に情報を必要とする都道府県区を複数又は一箇所の設定を行うことにより、該当する地域の情報発信校の発信した情報をメールで受信することを可能とする、情報送受信システムである。
【請求項５】
前記請求項３、請求項４の設定登録は一括して行えるよう選択肢を配置し上位より情報を必要とする学校の種類の設定、情報を必要とする地域の設定と段階を追って設定登録を行えるシステムである。
【発明の詳細な説明】
【技術分野】
【０００１】
この発明はインターネットを介した情報発信及び情報受信技術に関するものである。
【背景技術】
【０００２】
進学に関する情報は、各学校の開催する入試説明会に出席することや、大手出版社の受験案内により入手している。
【０００３】
しかし、学校の状況を詳しく理解した上での進路指導には、より詳細な情報を必要とするため、専門的な情報を取得する手段が不足している。
【０００４】
この改善策としては、インターネット技術を利用し特定の集団と集団を隔離された状況でネットワークにより結ぶ、それにより専門的な情報の収受が可能となる。
【特許文献１】特開２００２−２４２４７号広報
【非特許文献１】晶文社学校案内編集部  首都圏高校受験案内  ２００８年度用
【発明の開示】
【発明が解決しようとする課題】
【０００５】
小学校、中学校、高等学校、専門学校、大学はそれぞれ受験、進学、学校の行う行事、スポーツイベントの結果等の情報を、提供するに当たり、パンフレット、ポスターを作成し個別に広報活動を行っている、又入学試験の説明会等も個別に案内状を発送しているため、遠方の地域に対し十分な情報を提供するには膨大な宣伝広告費を必要とするため遠方の入学希望者に対しては十分な情報が届かない場合がある。
【０００６】
中学受験生を受け持つ小学校、高校受験生を受け持つ中学校、及び専門学校、大学受験生の進路指導に当たる高等学校の先生、また学習塾、予備校の経営者は、従来生徒が志望する対象の学校の受験、進学、学校の行う行事、スポーツイベントの結果等に関する情報を取得するには新聞、テレビ等のメディア又はインターネットを利用する等の情報収集活動を余儀なくされ、さらに生徒が志望する対象の学校の作成した刊行物や学校の開催する説明会を介して能動的に収集する必要があり、長時間に複数且つ広範囲な行動を余儀なくされている。
【０００７】
近年は地元から離れた地域への進学希望者も増加傾向にある。また親の転居による転校を余儀なくされる場合、居住地域の選択についても、子供の教育環境を考慮した上での転居先の住居の場所を選択するケースも増加している。そんな中、遠隔地に在る学校の情報を取得することが必要な小学校、中学校、高等学校、学習塾、予備校は多数存在する。
【課題を解決するための手段】
【０００８】
インターネット上にサーバーを設置し、サーバー内に小学校、中学校、高等学校、専門学校、大学、学習塾、予備校と種類毎にデータベースを作成し各学校、学習塾等が登録する際のカテゴリーを分類が出来るよう、テーブルを作成する。
【０００９】
小学校、中学校、高等学校、専門学校、大学、学習塾、予備校はメール機能とインターネット接続機能を有する機器をインターネット上のサーバーに接続し、各カテゴリーのテーブルに登録しホームページ上に公開され情報発信校及び情報受信者であることをおのおのに開示する。
【００１０】
サーバーの各カテゴリーのテーブルに登録しホームページ上に公開された情報発信校には、情報発信手段としてのメールを送信する際にサーバーに接続しメール機能の使用を許可するために必要となるＩＤとパスワードを付与する。また、このＩＤとパスワードはサーバーに登録されホームページ上で一般に公開された名称、所在地、宣伝文書等の情報を変更する際にも接続を可能にする機能を有する。
【００１１】
サーバーの各カテゴリーのテーブルに登録しホームページ上に公開された情報発信校は、情報が発生した時点において、IDとパスワードによる認証を受けた後、メール機能を使用し一括して情報を、インターネットを介してサーバーに送信する。
【００１２】
送信されたメールについては、送信のあった事実と送信した学校名のみがホームページに開示され、情報の送信が行われたことがホームページ上で確認が可能となる。本文は希望エリアに登録のある学校、学習塾、予備校に個別にメールで配信される。
【００１３】
メール機能とインターネット接続機能を有する機器をインターネット上のサーバーに接続し、予めサーバーに登録し情報受信者であることを開示しホームページ上で一般に公開された学校、学習塾、予備校へは、公開する名称、所在地、宣伝文書等の情報の内容を変更するためにサーバーに接続する際に必要となるIDとパスワードを付与する。またこのＩＤとパスワードは、希望する情報を発信する学校の種別とエリアを選択するための条件の設定及び変更の際にも接続を可能とする機能を有する。
【００１４】
メール機能とインターネット接続機能を有する機器をインターネット上のサーバーに接続し、予めサーバーに登録し情報受信者であることを開示しホームページ上で一般に公開された学校、学習塾、予備校が必要とする情報発信者の条件の設定は、小学校、中学校、高等学校、専門学校、大学のカテゴリーから一箇所又は複数選択する、次に選択する条件は地域を都道府県区の中から一箇所又は複数選択しサーバーに登録する。
【００１５】
前記情報受信者が必要とする情報発信者の条件及び地域の選択については、一連の設定処理により単数又は複数箇所の設定を可能とする。
【００１６】
前記情報発信校より発信された情報の中で対象となる学校からのメールを、情報受信者は選択的に受信する情報受信システムである。
【発明を実施するための最良の形態】
【００１７】
図１は、本発明を実施するための最良の形態に係るシステム全体の構成を示すブロック図である。テーブル１〜７は小学校、中学校、高等学校、専門学校、大学、学習塾、予備校のデータベースであり、学校及び学習塾、予備校はそれぞれ各カテゴリーのテーブルに登録する、各テーブル内の学校、学習塾、予備校はそれぞれ２つずつしか示してないが、実際はもっと多く存在する。
【００１８】
図２は、学校の登録の方法を示すものであり、各学校は名称、住所、宣伝文書を登録しホームページ上に公開する、さらに自校のホームページのURLをデータベースに登録しリンク機能を利用することにより宣伝効果の向上をはかる、また自己の持つメールアドレスをデータベースに登録することにより自身が送信する情報の確認を可能とする。
【００１９】
図３は学習塾、予備校の登録の方法を示すものである、各学習塾、予備校は名称、住所、宣伝文書を登録しホームページ上に公開する、また自己の持つホームページのURLをデータベースに登録しリンク機能を利用することにより宣伝効果の向上をはかることが可能である、さらに固有のメールアドレスをデータベースに登録し情報の受信を行うと共に一般からのアクセスを可能とし営業活動の一環を担う構造とする。
【００２０】
これら各データベースのテーブルに登録した学校、学習塾、予備校は、インターネット上に公開されることにより、情報発信校であることと、情報受信者であることが開示された状態となる。よって一般とは隔離された環境により、専門的な情報を非公開に提供することを可能とする。
【００２１】
サーバーに送信された情報は、インターネットを介して情報受信者に直ちに配信されるが、その際同テーブル間における情報の配信は行われず、常に情報受信者は対象学年に必要なテーブルからの情報のみを選択的に受信するシステムである。
【００２２】
たとえば、高等学校から発信された情報を受信できる情報受信者のカテゴリーのテーブルは中学校と学習塾に限られる、または、大学から発信された情報を受信できる情報受信者は高等学校、予備校、学習塾に限られる。
【実施例】
【００２３】
図１のインターネットを介しサーバー内のテーブル３に登録した高等学校１、高等学校２は名称、所在地、宣伝文書等を登録しインターネットに公開することにより宣伝効果を高めた上、情報受信者に対し情報発信校であることを開示する。
【００２４】
図１のインターネットを介しサーバー内のテーブル６に登録した学習塾１、学習塾２は名称、所在地、宣伝文書を入力しインターネットに公開することにより宣伝効果を高めた上、情報発信者に対して情報受信者であることを開示するとともに情報を必要とする学校の種別、地域の設定を行う。
【００２５】
前記学習塾１、学習塾２が共に中学生を対象とした学習塾であり、高等学校の発信した情報を選択しているが地域情報に関しては別々の地域を選択していた場合、仮に前記高等学校１、高等学校２が情報を発信した場合においても地域情報と合致した箇所からの情報でなければ受信しないシステムである、たとえば学習塾１が高等学校１、高等学校２の両方の地域を選択していれば、どちらの情報も受信し、学習塾２が高等学校１の地域のみを選択していた場合は、選択的に高等学校１からの情報のみ受信するシステムである。
【産業上の利用可能性】
【００２６】
本発明により、全国の小学校、中学校、高等学校、専門学校、大学が情報を発信することにより小学校、中学校、高等学校、学習塾は全国を対象とした的確な進路の指導が可能となることと、各学校にとっても現在かかっている宣伝広告費の削減が可能となる。
【図面の簡単な説明】
【００２７】
【図１】システム全体の構成図
【図２】学校のフローチャート
【図３】学習塾、予備校のフローチャート
【図４】ネットワークの構成図
【図１】
2009258932.tif 000003
【図２】
2009258932.tif 000004
【図３】
2009258932.tif 000005
【図４】
2009258932.tif 000006